(57)【特許請求の範囲】
【請求項１】
スクリーンと、このスクリーンに可視像を投影する投影手段と、使用者によって操作され、スクリーンにレーザ光を投射するレーザポインタとを備えたプレゼンテーションシステムにおいて、
前記レーザポインタには、
レーザ光投射手段と、
所定のレーザ光投射許可信号を受信し、その受信時に前記レーザ光投射手段を駆動してレーザ光を投射させるレーザ光制御手段と、
変調がかけられた赤外光を、前記レーザ光投射手段から投射されるレーザ光の投射方向と同方向に投射する赤外光投射手段とが設けられており、
一方、前記変調がかけられた赤外光が前記スクリーンに投射されているか否かを検出し、かつ、その赤外光のスクリーン上での投射位置を検出する赤外光検出手段と、
この赤外光検出手段が前記スクリーンへの赤外光の投射を検出した時に前記レーザ光投射許可信号を前記レーザ光制御手段に送る送信制御手段とを備え、
前記レーザ光投射許可信号は前記スクリーンに投射される赤外光であり、前記レーザポインタの前記レーザ光制御手段はレーザ光投射許可信号である赤外光を受ける赤外光受光部を備えていることを特徴とするレーザポインタを用いたプレゼンテーションシステム。
【請求項２】
前記レーザポインタには、前記レーザ光投射手段からレーザ光が投射されるレーザポインタモードと、レーザ光投射手段からレーザ光が投射されずに前記赤外光投射手段から赤外光が投射されるのみの状態となるマウスモードとに切り換えるスイッチが設けられており、
マウスモードでは、前記赤外光投射手段から投射される赤外光にレーザポインタモード時とは異なる変調がかけられるとともに、
前記赤外光検出手段によって検出された前記スクリーン上での赤外光の投射位置の移動方向ならびに移動距離からなる移動データに基づき、スクリーン上でポインタマークが移動することを特徴とする請求項１に記載のレーザポインタを用いたプレゼンテーションシステム。
【請求項３】
前記赤外光検出手段はＰＳＤであることを特徴とする請求項１または２に記載のレーザポインタを用いたプレゼンテーションシステム。
【発明の詳細な説明】
【０００１】
【発明の属する技術分野】
本発明は、スクリーンに映した画像をレーザポインタで指示しながら講演、説明等を行うためのプレゼンテーションシステムに関する。
【０００２】
【従来の技術】
液晶プロジェクタ等の投影装置によってスクリーンに画像を投影し、その画像を参照しながら聴衆に向かって種々の発表や説明等を行うプレゼンテーションにあっては、画像の特定箇所を指示するためのレーザポインタがよく使用されている。レーザポインタは、スイッチを入れるとレーザ光が投射されてスポットがスクリーンに投影されるものである。ところが、レーザ光は人の目に入射されると危険であり、スイッチを入れたまま誤って聴衆に向けてしまう場合があった。そこで、このような危険を回避する安全対策が、例えば特開２０００−３２１５３１号公報に開示されている。同公報では、レーザポインタからレーザ光と同方向に赤外光を投射する一方、この赤外光がスクリーンに投射されているか否かをＣＣＤ等の撮像手段で撮像する。そして、赤外光が撮像されている場合に限り、レーザ光の投射を許可する信号をレーザポインタに発し、レーザポインタがスクリーンに向けられていない場合にはレーザ光が投射されないとされている。
【０００３】
【発明が解決しようとする課題】
上記公報に記載の安全対策では、レーザポインタから投射される赤外光に対して外部からの光がノイズとして干渉し、スクリーンに投射されている赤外光の判別が的確になされないことが想定される。その場合には、レーザポインタをスクリーンに向けていなくてもレーザ光が投射される誤作動が起きることが懸念される。
【０００４】
よって本発明は、レーザポインタの指示方向がスクリーンの範囲内であるか否かを的確に判別することができることによってレーザ光の誤投射が確実に防止され、安全性の向上がより図られるレーザポインタを用いたプレゼンテーションシステムを提供することを目的としている。
【０００５】
【課題を解決するための手段】
本発明は、スクリーンと、このスクリーンに可視像を投影する投影手段と、使用者によって操作され、スクリーンにレーザ光を投射するレーザポインタとを備えたプレゼンテーションシステムにおいて、レーザポインタには、レーザ光投射手段と、所定のレーザ光投射許可信号を受信し、その受信時にレーザ光投射手段を駆動してレーザ光を投射させるレーザ光制御手段と、変調がかけられた赤外光を、レーザ光投射手段から投射されるレーザ光の投射方向と同方向に投射する赤外光投射手段とが設けられており、一方、変調がかけられた赤外光がスクリーンに投射されているか否かを検出し、かつ、その赤外光のスクリーン上での投射位置を検出する赤外光検出手段と、この赤外光検出手段がスクリーンへの赤外光の投射を検出した時にレーザ光投射許可信号をレーザ光制御手段に送る送信制御手段とを備え、レーザ光投射許可信号はスクリーンに投射される赤外光であり、レーザポインタのレーザ光制御手段はレーザ光投射許可信号である赤外光を受ける赤外光受光部を備えていることを特徴としている。
【０００６】
本発明によれば、レーザポインタから投射される赤外光はレーザ光と同方向に投射されるので、赤外光の投射位置はレーザ光の投射位置にほぼ一致する。したがって、赤外光がスクリーンに投射されていればレーザ光もスクリーンに投射されていると判断することができる。その赤外光は、赤外光検出手段によってスクリーンに投射されているか否かが検出され、スクリーンに投射されていることが検出された時にのみ、レーザ光投射許可信号がレーザポインタのレーザ光制御手段に送られ、レーザ光が投射される。これにより、レーザポインタからは赤外光がスクリーンに投射されている時、すなわちレーザ光の投射方向がスクリーンに向けられている時に限り、レーザ光が投射され、レーザ光の投射方向がスクリーンを逸脱するとレーザ光は投射されない。
【０００７】
さて、本発明におけるレーザポインタから投射されるレーザ光制御用の赤外光は、予め変調がかけられており、赤外光検出手段は変調がかけられた固有の赤外光を検出する。したがって、スクリーンに投射されている赤外光は、外部からの光の干渉を受けることなく判別される。その結果、レーザポインタの指示方向がスクリーンの範囲内であるか否かが的確に判別され、レーザ光の誤投射が確実に防止される。
【０００８】
本発明では、レーザポインタには、レーザ光投射手段からレーザ光が投射されるレーザポインタモードと、レーザ光投射手段からレーザ光が投射されずに赤外光投射手段から赤外光が投射されるのみの状態となるマウスモードとに切り換えるスイッチが設けられており、マウスモードでは、赤外光投射手段から投射される赤外光にレーザポインタモード時とは異なる変調がかけられるとともに、赤外光検出手段によって検出されたスクリーン上での赤外光の投射位置の移動方向ならびに移動距離からなる移動データに基づき、スクリーン上でポインタマークが移動する形態を含む。
【０００９】
上記形態によると、レーザポインタはスイッチにより、レーザ光が投射されるレーザポインタモードと、マウス操作が行われるマウスモードのいずれかに切り換えることができる。レーザポインタモードでは、赤外光投射手段から変調がかけられた赤外光が投射され、その投射方向がスクリーンの範囲内であればレーザ光投射許可信号が返されてレーザ光投射手段からレーザ光がされる。マウスモードでスクリーンに投射される赤外光の投射位置は、赤外光検出手段で検出される。そして、スクリーン上での赤外光の投射位置の移動方向ならびに移動距離からなる移動データをマウス信号としてパソコン等に送り、パソコン等でポインタマークを移動させて投影手段からスクリーンに投影する。すなわち、レーザポインタの動きに応じたポインタマークが投影手段からスクリーンにリアルタイムで投影される。マウス操作は、プレゼンターがスクリーンに投影されたポインタマークを見ながらレーザポインタを動かして所望の箇所にポインタマークを移動させることにより行われる。なお、ポインタマークは、この場合カーソルやポインタ（矢印）等である。
【００１０】
近年では、パソコンの画面をスクリーンに反映させてプレゼンテーションを行う機会が増えており、その場合には、パソコン用の入力デバイスの一つであるマウス操作も合わせて行われる。そこで、上記形態を採ることによりパソコンに接続されているマウスを用いる必要がなくなるので、円滑なプレゼンテーションが可能となる。
【００１１】
本発明における赤外光検出手段としては、二次元ＰＳＤ(Position Sensitive Detectors)が好適に用いられる。このＰＳＤは表面に入射した光の位置に応じて４辺から流出する電流の値が変化することにより、入射した光の二次元情報、すなわち位置を検出することが可能な撮像素子である。ＰＳＤは、変調がかけられた赤外光を検出可能なため、異なる変調がかけられた赤外光の種類を識別することができることから、本発明の赤外光検出手段として好適である。
【００１２】
また、本発明における上記レーザ光投射許可信号としては、スクリーンに投射される赤外光が挙げられる。この場合、その赤外光を受ける赤外光受光部をレーザポインタのレーザ光制御手段が備えており、赤外光受光部がスクリーンから反射した赤外光を受けるとレーザ光投射手段が駆動されてレーザ光が投射される構成とすればよい。
【００１３】
【発明の実施の形態】
以下、図面を参照して本発明の一実施形態を説明する。
図１は、本発明の一実施形態に係る全体システムを概略的に示している。同図の符号１０はスクリーン、２０はスクリーン１０に液晶画像を投影する液晶プロジェクタ（投影手段）、３０はＰＳＤ（赤外光検出手段）、４０は赤外光処理部、５０はパソコン、６０は図示せぬプレゼンターが手にするレーザポインタである。パソコン５０では各種コマンドの処理がなされるとともに画像データが生成または編集され、その画像データに基づく画像が液晶プロジェクタ２０からスクリーン１０に可視像として投影される。
【００１４】
図２はレーザポインタ６０および赤外光処理部４０の構成を示すブロック図である。レーザポインタ６０は、電源６１の投入によって稼働するレーザ光制御部（レーザ光制御手段）６２と赤外光制御部６３とを備えている。レーザ光制御部６２には、レーザダイオードからなるレーザ光投射部（レーザ光投射手段）６４と、赤外光受光部６５とが接続されている。一方、赤外光制御部６３には、不可視光である赤外光を投射する赤外光投射部（赤外光投射手段）６６が接続されている。赤外光投射部６６からの赤外光の投射方向は、レーザ光投射部６４から投射されるレーザ光と同方向に設定されている。赤外光投射部６６から投射される赤外光の波長は、例えば９５０ｎｍであり、人体から放出される１０μｍ近辺の赤外波長とは著しく異なる。赤外光受光部６５が後述する駆動用赤外光を受光すると、レーザ光制御部６２はレーザ光投射部６４を駆動してレーザ光を投射させる。
【００１５】
レーザポインタ６０には、モード切換部（スイッチ）６７と通信部６８とに分けられる各種スイッチボタンが設けられている。モード切換部６７には、レーザ光を投射するレーザポインタモード「ＬＤ」と、レーザポインタ６０をマウス代わりに用いる場合のマウスモード「Ｍ」と、レーザポインタモードおよびマウスモードのいずれでもない状態とする「ＯＦＦ」のスイッチボタンが設けられている。「ＬＤ」が押されたレーザポインタモードでは、赤外光投射部６６から２５ｋＨｚの変調がかけられた赤外光（この場合の赤外光を指示用赤外光と称する）が投射され、その投射方向がスクリーン１０の範囲内であればレーザ光投射許可信号が返されてレーザ光投射部６４からレーザ光が投射される。また、「Ｍ」が押されたマウスモードでは、レーザ光は投射されず、赤外光投射部６６から１０ｋＨｚで変調がかけられた赤外光（この場合の赤外光をマウス用赤外光と称する）が投射されるのみとなる。また、通信部６８には、パソコン用マウスの右クリックに相当する「ＲＣ」および左クリックに相当する「ＬＣ」と、画面のページを進める「Ｎ」およびページを戻す「Ｐ」のコマンドを実行させるスイッチボタンがそれぞれ設けられている。通信部６８の各スイッチボタンが押されると、赤外光投射部６６からは３８．４ｋＨｚの変調がかけられた赤外光（この場合の赤外光を通信用赤外光と称する）が投射される。
【００１６】
上記レーザポインタ６０にあっては、レーザポインタモードおよびマウスモードのいずれの場合も、赤外光投射部６６から赤外光が常時投射される（指示用赤外光とマウス用赤外光のいずれか）が、モードを区別するために、赤外光制御部６３によって赤外光には変調がかけられる。また、通信部６８の各スイッチボタンを押した場合に投射される通信用赤外光にも別の変調がかけられる。その変調は、３つの場合（レーザポインタモード、マウスモード、通信部６８の各スイッチを押した時：通信時）でそれぞれ異なる周波数の変調がかけられる。例えば、レーザポインタモードでの指示用赤外光には２５ｋＨｚ、マウスモードでのマウス用赤外光には１０ｋＨｚ、通信時の通信用赤外光には３８．４ｋＨｚで変調がかけられる。
【００１７】
図１に示すように、本システムでは、液晶プロジェクタ２０に隣接して前記ＰＳＤ３０を備えた赤外光処理部４０が設置されている。このＰＳＤ３０は、スクリーン１０の全面を撮影し、レーザポインタ６０のレーザ光投射部６４から投射された指示用赤外光またはマウス用赤外光（レーザポインタモードまたはマウスモードの場合の赤外光）がスクリーン１０に投射されているか否かを検出し、かつ、その赤外光のスクリーン１０上での投射位置を検出する。また、赤外光処理部４０には、レーザポインタ６０から投射される赤外光とは異なる波長（例えば８５０ｎｍ）の赤外光（この場合の赤外光を駆動用赤外光と称する）を３３ｋＨｚの変調をかけてスクリーン１０に投射する駆動用赤外光投射部７０が設置されている。この駆動用赤外光が、本発明のレーザ光投射許可信号に相当する。さらに赤外光処理部４０には、レーザポインタ６０のレーザ光投射部６４から通信時に投射される通信用赤外光がスクリーン１０に投射されたことを検出するフォトダイオードからなる通信用赤外光受光部８０が設置されている。
【００１８】
ＰＳＤ３０がレーザポインタモードの場合の指示用赤外光（２５ｋＨｚで変調がかけられている赤外光）を検出すると、その検出信号はＰＳＤ処理回路４１を経て制御部（送信制御手段）４２に供給され、さらに制御部４２から駆動用赤外光投射部７０に信号が供給され、駆動用赤外光投射部７０から駆動用赤外光がスクリーン１０に投射される。この駆動用赤外光はスクリーン１０で反射し、その反射した駆動用赤外光をレーザポインタ６０の赤外光受光部６５が受光する。すると、レーザポインタ６０のレーザ光制御部６２はレーザ光投射部６４を駆動してレーザ光を投射させる。
【００１９】
レーザポインタ６０がマウスモードの場合においてマウス用赤外光（１０ｋＨｚで変調がかけられている赤外光）がスクリーン１０に投射されると、そのマウス用赤外光のスクリーン１０上での投射位置の移動方向ならびに移動距離がＰＳＤ３０で逐一検出され、その検出信号がＰＳＤ処理回路４１で処理されて制御部４２に供給される。制御部４２は、上記移動方向ならびに移動距離に基づく移動データを生成し、その移動データをマウス信号としてパソコン５０に供給する。そして、パソコン５０は、そのマウス信号に基づきポインタマークすなわち、矢印やカーソル等を移動させて、液晶プロジェクタ２０に供給する。これにより、レーザポインタ６０の移動に応じて、スクリーン１０上でポインタマークが移動する。
【００２０】
さらに、レーザポインタ６０の通信部６８のいずれかのスイッチを押して通信用赤外光（３８．４ｋＨｚで変調がかけられている赤外光）がスクリーン１０に投射されると、その通信用赤外光が通信用赤外光受光部８０で検出される。その検出信号は赤外光処理部４０の制御部４２に供給され、制御部４２は、スイッチに応じたコマンド信号を生成し、そのコマンド信号をキーボード信号としてパソコン５０に供給する。そして、パソコン５０はコマンド信号に基づきスイッチに応じたコマンドを実行し、そのコマンドがスクリーン１０の可視像に反映される。
【００２１】
以上が一実施形態のプレゼンテーションシステムの構成であり、次に、このシステムの作用を説明する。
プレゼンターは、液晶プロジェクタ２０から可視像が投影されているスクリーン１０にレーザポインタ６０を向け、スイッチ「ＬＤ」を押してレーザポインタモードとすると、赤外光投射部６６から２５ｋＨｚの変調がかけられた指示用赤外光が投射され、この指示用赤外光がスクリーン１０に投射されていることが、ＰＳＤ３０によって検出される。その検出信号は、赤外光処理部４０のＰＳＤ処理回路４１を経て制御部４２に供給され、さらに制御部４２から駆動用赤外光投射部７０に信号が供給され、駆動用赤外光投射部７０から駆動用赤外光がスクリーン１０に投射される。この駆動用赤外光はスクリーン１０で反射し、その反射した駆動用赤外光をレーザポインタ６０の赤外光受光部６５が受光する。すると、レーザポインタ６０のレーザ光制御部６２がレーザ光投射部６４を駆動する。これによってスクリーン１０にはレーザ光が投射される。すなわち、レーザポインタモードではレーザポインタ６０をスクリーン１０に向けていれば、投射されるレーザ光のスポットによってプレゼンターの意図する箇所を指示することができる。
【００２２】
次に、レーザポインタ６０でマウス操作を行う場合には、レーザポインタ６０のスイッチ「Ｍ」を押してマウスモードに切り換え、レーザポインタ６０をスクリーン１０に向ける。すると、レーザポインタ６０の赤外光投射部６６からは１０ｋＨｚで変調がかけられたマウス用赤外光が投射される。すると、このマウス用赤外光のスクリーン１０上での投射位置の移動方向ならびに移動距離がＰＳＤ３０で逐一検出され、その検出信号が赤外光処理部４０のＰＳＤ処理回路４１で処理され、制御部４２に供給される。続いて制御部４２によりスクリーン１０上でのマウス用赤外光の移動方向ならびに移動距離に基づく移動データが生成され、その移動データがマウス信号としてパソコン５０に供給される。そして、そのマウス信号に基づいてパソコン５０が生成したポインタマークが、液晶プロジェクタ２０に供給される。これにより、レーザポインタ６０の移動に応じて、スクリーン１０上でポインタマークが移動する。すなわち、レーザポインタ６０の動きに応じたポインタマークがスクリーン１０に投影されるので、プレゼンターはそのポインタマークを見ながら所望の箇所へのポインタマークの移動を調整する。
【００２３】
次に、プレゼンターは、レーザポインタ６０の通信部６８のスイッチを押すことにより、そのスイッチに応じたコマンドをパソコン５０に実行させることができる。すなわち、レーザポインタ６０の通信部６８のいずれかのスイッチを押すと３８．４ｋＨｚで変調がかけられた通信用赤外光がスクリーン１０に投射される。その通信用赤外光は通信用赤外光受光部８０で検出され、さらに赤外光処理部４０の制御部４２によってスイッチに応じたコマンド信号が生成され、そのコマンド信号がキーボード信号としてパソコン５０に供給される。パソコン５０はキーボード信号に基づきスイッチに応じたコマンドを実行し、そのコマンドがスクリーン１０の可視像に反映される。
【００２４】
上記実施形態によれば、レーザポインタ６０から投射される指示用赤外光がスクリーン１０に投射されていることがＰＳＤ３０で検出された時にのみレーザポインタ６０からレーザ光が投射される。これにより、レーザポインタ６０からは指示用赤外光がスクリーン１０に投射されている時、すなわちレーザ光の投射方向がスクリーン１０に向けられている時に限り、レーザ光が投射される。そして、レーザ光の投射方向がスクリーン１０を逸脱するとレーザ光は投射されない。このため、レーザポインタモードにおいてレーザ光を聴衆等に誤投射する危険が回避される。
【００２５】
レーザポインタ６０から投射されるレーザ光制御用の指示用赤外光には予め変調がかけられており、一方、ＰＳＤ３０は変調がかけられた固有の指示用赤外光を検出する。したがって、スクリーン１０に投射されている指示用赤外光は、外部からの光の干渉を受けることなく的確に判別される。その結果、レーザポインタ６０の指示方向がスクリーン１０の範囲内であるか否かが確実に判別され、安全性の向上が図られる。
【００２６】
また、マウスモードでは、スクリーン１０に向けたレーザポインタ６０を動かすことによりマウス操作を行うことができ、さらに通信部６８のスイッチを押せば各種コマンドを実行させることができる。その結果、パソコン５０に接続されているマウスを用いる必要がなくなり、円滑なプレゼンテーションを行うことができる。
【００２７】
【発明の効果】
以上説明したように、本発明によれば、レーザポインタから変調がかけられた赤外光をレーザ光と同方向に投射する一方、この赤外光がスクリーンに投射されているか否かを赤外光検出手段で検出し、赤外光を検出した場合に限りレーザ光を投射するので、レーザポインタの指示方向がスクリーンの範囲内であるか否かを的確に判別することができ、これによってレーザ光の誤投射が確実に防止されて安全性の向上がより図られるといった効果を奏する。
【図面の簡単な説明】
【図１】  本発明の一実施形態に係るシステムの概念図である。
【図２】  本発明の一実施形態に係るレーザポインタおよび赤外光処理部の構成を示すブロック図である。
【符号の説明】
１０…スクリーン、２０…液晶プロジェクタ（投影手段）、
３０…ＰＳＤ（赤外光検出手段）、４２…制御部（送信制御手段）、
６０…レーザポインタ、６２…レーザ光制御部（レーザ光制御手段）、
６４…レーザ光投射部（レーザ光投射手段）、
６５…赤外光受光部、６６…赤外光投射部（赤外光投射手段）、
６７…モード切換部（スイッチ）。
【図１】
0004035003.tif 000002
【図２】
0004035003.tif 000003